(57)【要約】      （修正有）【課題】携帯電話機本体にワイヤレスイヤホン本体を一体造形となるように取り付け形成したワイヤレスイヤホン付携帯電話機を提供する。【解決手段】携帯電話機本体にワイヤレスイヤホン本体３を一体構成し、予めワイヤレスイヤホン本体３との無線通信が設定され、運転時の使用に於いて容易に取り外し装着使用出来、携帯電話機本体充電時にはワイヤレスイヤホン本体３にも同時に充電され、ワイヤレスイヤホン本体３の機能としてクッションスイッチ７、インジケータライト、マイク、イヤホン部４、充電用接続端子６を設けイヤホン部４中央を軟質シリコン樹脂を輪切り状に幾つも形成される事で耳にソフトにフィットするため装着時に外れる事なく法的問題もなく精神的安心感をもたらし安全に運転する事が出来る。【選択図】図２
2013135374.tif 000002
【特許請求の範囲】
【請求項１】
携帯電話機本体（１）と予め無線通信機能を有したワイヤレスイヤホン本体（３）を一体構成した携帯電話機（１）に於いて、携帯電話機の側面下部にワイヤレスイヤホン本体（３）を取り付け固定するためのイヤホン収納取り付け穴部（２）とワイヤレスイヤホン用充電接続端子（５）を設け、同じくワイヤレスイヤホン本体（３）に充電用接続端子（６）を設け携帯電話機本体（１）を充電する事によって充電制御機能を備えたワイヤレスイヤホン本体（３）の充電用電池に自動的に充電され、又  ワイヤレスイヤホン本体（３）の機能としてはクッションスイッチ部（ＯＮ、ＯＦＦ、受信送信）（７）、インジケータライト（８）、更に軟質シリコン樹脂（１０）成型による幾つもの輪切り状に形成されたイヤホン部（４）、マイク(７)等が設けられ、ワイヤレスイヤホン本体（３）は携帯電話本体専用通信とし、ワイヤレスイヤホン本体（３）使用時は携帯電話本体（１）より引き出すよう取り外しクッションスイッチ部（７）を操作する事で受信、送信が可能で、イヤホン部（４）が軟質シリコン樹脂（１０）成型による幾つかの輪切り状に形成されている事から耳に滑らずソフトにフィットするのでワイヤレスイヤホン本体（３）に別部材による耳掛け等必要なく多くの耳の形状にもフィットするので耳から外れる事なく、又運転時の使用に於いても安心して安全運転する事が出来、法にも触れる事なく又、携帯電話機本体（１）のイヤホン収納取り付け穴部（２）にワイヤレスイヤホン本体（３）を差し替える事で携帯電話機本体（１）での再生画像、録画を観る際にスタンド台として機能も果たす等の特徴をもったワイヤレスイヤホン付携帯電話機。
【発明の詳細な説明】
【技術分野】
【０００１】
本発明は、携帯電話機本体（１）に無線通信機能を有したワイヤレスイヤホン本体（３）を一体形成しそれぞれの機能をもって役割を果たすワイヤレスイヤホン付携帯電話機に関する。
【背景技術】
【０００２】
従来の携帯電話機の使用に於いて、通常使用には問題なく使用できるが特に車を運転する際に安全のため車内での使用についての法的規制があり、そのためイヤホン等を使用していた。
【０００３】
通話機器としては現在コードレスイヤホンが主であり、近年ワイヤレスイヤホンも多く使用されている。
【０００４】
コードレスイヤホンに関しては、使用時にコードが絡まったり、長すぎて邪魔だったり、又  ジャックが外れたり等のトラブルがあった。
【０００５】
又、ワイヤレスイヤホンに於いてもコードレスイヤホンとは別に充電が必要であり、それぞれの携帯電話機との通信設定を行わなければならなく機種によっては耳掛けしなければ使用できないものもあった。
【０００６】
又、携帯電話機の接続端子にコード付端子を差込みワイヤレスとして使用できるものもある。
【先行技術文献】
【特許文献】
【０００７】
【特許文献１】特許第３１１０３６２号
【特許文献２】特開２００６−５００５８号
【発明の概要】
【発明が解決しようとする課題】
【０００８】
本発明は、上記従来のコードレスイヤホンのように使用時にコードが絡まったり、長すぎて引っかかりジャックが外れたり、別に携帯しなければならず不便であり、又  市販されているワイヤレスイヤホンについても同じく携帯電話機と別に携帯しなければならず、充電等も個々に充電する必要がありつい忘れ使用する時に目的を果たせない等の幾つかの問題を解決すべく携帯電話機本体（１）にワイヤレスイヤホン本体（３）を一体造形となるよう取り付け形成した。
【課題を解決するための手段】
【０００９】
以上述べた本発明の携帯電話機本体（１）側面部下部にワイヤレスホン本体（３）を一部収納取り付けるためのイヤホン収納取り付け穴部（２）を形成しイヤホン部（４）をもって差込み取り付けることが出来る。
【００１０】
上記、ワイヤレスイヤホン本体（３）の機能としてクッションスイッチ部（ＯＮ、ＯＦＦ、受信、送信）、インジケータライト（８）、イヤホン部（４）（スピーカ）、マイク（９）、充電接続端子（６）、充電制御機能等が装備されている。
【００１１】
そして、上記ワイヤレスイヤホン本体（３）のイヤホン部（４）は軟質シリコン樹脂（１０）成型により輪切り状に幾つも並べ形成した。
【００１２】
上記、ワイヤレスイヤホン本体（３）は携帯電話機本体（１）とのみ無線
通信出来るように予め携帯電話機本体（１）に設定されているためわずらわしい通信設定等必要としない。
【００１３】
又、携帯電話機本体（１）を充電する時に同時にワイヤレスイヤホン本体（３）の充電電池に蓄電されるため安心して使用できる。
【００１４】
更に、ワイヤレスイヤホン本体（３）は本携帯電話機本体（１）とのみ通信設定であるため他の携帯電話機との設定は必要なく機構的にも省略出来る。
【００１５】
ワイヤレスイヤホン本体（１）のイヤホン部（４）は軟質シリコン樹脂（１０）成型による幾つもの輪切り状に並べ形成される事で人それぞれの耳の形状にフィットしソフトで耳掛け等の別部品も必要なく簡単に装着できる。
【００１６】
それによって、特に車運転時に使用し機能を果たす事を主とするため、携帯電話機本体（１）より簡単に外し装着使用出来る事が最大の条件であり、多少の振動にもワイヤレスイヤホン本体（３）が耳より外れる事無く安心して運転に集中出来る。
【００１７】
携帯電話機本体（１）のイヤホン収納取り付け穴部（２）差込み口にワイヤレスイヤホン本体（３）を取り付け固定するための溝部（１１）を三箇所設けた。
【００１８】
又、ワイヤレスイヤホン本体（３）のイヤホン部（４）取り付け位置に突部（１２）を三箇所設けた。
【００１９】
それによって、携帯電話機で撮影した画像、録画等を再生し観る場合、必要に応じてワイヤレスイヤホン本体（１）を携帯電話機本体（１）のイヤホン収納取り付け穴部（２）に設けた三箇所の溝部（１１）より差し替え取り付ける事によって携帯電話機本体（１）のスタンド台としての機能も果たす。
【発明の効果】
【００２０】
携帯電話機本体（１）にワイヤレスイヤホン本体（３）を取り付けた事で通常使用は勿論の事、主に車を運転する場合に予め携帯電話機本体（１）よりワイヤレスイヤホン本体（３）を取り外し機能操作し装着する事で速やかに使用出来、煩わしいコード等無いため引っ掛けてイヤホンが外れる等の心配もなく安心して運転する事が出来、又  法規制に罰せられる事もなく精神的にも安らぎ安全運転が可能となる。
【図面の簡単な説明】
【００２１】
【図１】携帯電話機本体にワイヤレスイヤホン本体を取り付けた状態を示す説明参考図。
【図２】ワイヤレスイヤホン本体を外した状態での説明斜視図。
【図３】ワイヤレスイヤホン本体による説明図で、（Ａ）は右側面図、（Ｂ）は左側面図、（Ｃ）は正面図。
【図４】ワイヤレスイヤホン本体装着時の参考図
【図５】ワイヤレスイヤホン本体によるスタンド台としての機能を示す参考斜視図。
【発明を実施するための形態】
【００２２】
以下、本発明の実施するための形態を図２、図３にて説明する。
【００２３】
図２に於いて、携帯電話機本体（１）左側面下部位置にワイヤレスイヤホン本体（３）を取り付け形成した状態が通常使用の形態である。
【００２４】
携帯電話機本体（１）の左側面下部位置にワイヤレスイヤホン本体（３）のイヤホン部（４）を収納取り付けるためのイヤホン収納取り付け穴部（２）を設けた。
【００２５】
上記、携帯電話機本体（１）のイヤホン収納取り付け穴部（２）にはワイヤレスイヤホン本体（３）を取り付けるためのイヤホン固定用溝部（１１）を三箇所設け、更にワイヤレスイヤホン本体（３）のイヤホン部（４）の取り行け部分に同じく三箇所の固定用突部（１２）を設けた。
【００２６】
図３に於いて、ワイヤレスイヤホン本体（３）機能として、クッションスイッチ（７）（ON、ＯFF、受信、送信）、インジケータライト、（８）、イヤホン部（４）（スピーカ)、マイク、充電接続端子、充電制御、蓄電池、等が設けられている。
【００２７】
携帯電話機本体（１）とワイヤレスイヤホン本体（３）は予め無線通信登録設定され、他の携帯電話機との通信登録設定をする事を出来ない様にした。
【００２８】
携帯電話機本体（１）の左側面部中央よりやや下にワイヤレスイヤホン本体（３）充電するためのワイヤレス用充電接続端子（５）を設けた。
【００２９】
又、ワイヤレスイヤホン本体（３）下部底面位置にも携帯電話機本体（１）に取り付け充電するための充電用接続端子（６）を設け、携帯電話機本体（１）にセットする事で充電可能となる。
【００３０】
上記、ワイヤレスイヤホン本体（３）内部機構には蓄電のための蓄電池と充電を制御する機構が備えられ携帯電話機本体（１）充電時には常に充電制御によって充電の可、不可を判断する事で充電される。
【００３１】
ワイヤレスイヤホン本体（３）のイヤホン部（４）は軟質シリコン樹脂（１０）による成型にて中央部を幾つもの輪切り状に形成した。
【００３２】
上記、輪切り状に形成する事によって人それぞれの耳の形状にフィットしソフト感をもって装着出来る。
【００３３】
そのため、耳より外れる事なく耳掛け等の別部品も必要なく簡単に装着出来る。
【００３４】
特に、ワイヤレスイヤホン本体（３）の使用として、車運転時に於いての使用を主の目的とするため装着時に外れず等のトラブルがないようイヤホン部（４）中央部分を軟質シリコン樹脂（１０）による輪切り状に形成する事で外れる事無く安心して会話が出来、法も犯す事なく安心且つ、安全な運転が出来る。
【符号の説明】
【００３５】
１.携帯電話機本体
２.イヤホン収納取り付け穴部
３.ワイヤレスイヤホン本体
４.イヤホン部(スピーカ)
５.ワイヤレスイヤホン用充電接続端子
６.充電用接続端子
７.クッションスイッチ（ＯＮ、ＯＦＦ、受信、送信）
８.インジケータライト
９.マイク
１０.軟質シリコン樹脂
１１.固定用溝部
１２.固定用突部
１３.操作キー
１４.液晶クリーン
１５.マイク
１６.レシーバー
１７.光センサー
１８.着信ランプ
【図１】
2013135374.tif 000003
【図２】
2013135374.tif 000004
【図３】
2013135374.tif 000005
【図４】
2013135374.tif 000006
【図５】
2013135374.tif 000007
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
携帯電話機本体（１）に予め無線通信機能を有したワイヤレスイヤホン本体（３）を一体構成した携帯電話機本体（１）に於いて、携帯電話機本体（１）の側面部にワイヤレスイヤホン本体（３）を取り付け固定するためのイヤホン取り付け穴部（２）とワイヤレスイヤホン本体（３）用充電接続端子（５）を設け、同じくワイヤレスイヤホン本体（３）に充電用接続端子（６）を設け携帯電話機本体（１）を充電する事によって充電制御機能を備えたワイヤレスイヤホン本体（３）の充電用電池に自動的に充電され、又  ワイヤレスイヤホン本体（３）の操作機能としてクッションスイッチ部（ＯＮ、ＯＦＦ、受信、送信）（７）、インジケータライト（８）、軟質シリコン樹脂（１０）による輪切り状に形成されたイヤホン部（４）、マイク（７）等が装備されたワイヤレスイヤホン本体（３）に於いて使用時は携帯電話機本体（１）より引き出すよう取り外しクッションスイッチ部（７）を操作する事で受信、送信機能を果たし、更にワイヤレスイヤホン本体（３）を差し替え取り付ける事で携帯電話機本体（１）による再生画像、録画等を観る際にスタンド台としての機能を果たす特徴をも備えたワイヤレスイヤホン付携帯電話機。